(57)【要約】【課題】使用者側では簡便にフィルムを便座装置にセットでき、且つ、製造業者側では、簡便な作業でフィルムを包装できるフィルムパックおよびそれに用いる包装体を提供する。【解決手段】包装体Ｐは、載置部Ｐ１と、左折り曲げ部Ｐ２および右折り曲げ部Ｐ３と、上折り曲げ部Ｐ４および下折り曲げ部Ｐ５と、上係止部Ｐ１２および下係止部Ｐ１３と、を有する。左折り曲げ部Ｐ２と右折り曲げ部Ｐ３は、鍔部Ｈ１ｃが載置部Ｐ１と左折り曲げ部Ｐ２および右折り曲げ部Ｐ３によって挟まれる形状を有する。上係止部Ｐ１２および下係止部Ｐ１３は、上折り曲げ部Ｐ４および下折り曲げ部Ｐ５に、先端部Ｐ１２ｂ、Ｐ１３ｂを引っ掛けることが可能な形状を有する。上折り曲げ部Ｐ４および下折り曲げ部Ｐ５に、先端部Ｐ１２ｂ、Ｐ１３ｂを引っ掛けることにより、フィルム保持体Ｈに包装体Ｐが装着される。【選択図】図１１
2016185237.tif 000002
【特許請求の範囲】
【請求項１】
筒状のフィルムが折り畳まれた状態で外周に装着されるフィルム保持体と、
前記フィルム保持体に取り付けられる包装体と、を備え、
前記フィルム保持体は、外周に装着された前記フィルムの上下方向の少なくとも一方の端縁を押さえる鍔部を有し、
前記包装体は、
前記フィルム保持体が載せられる板状の載置部と、
前記載置部の左右に繋がり、前記載置部の載置面に垂直な方向に折り曲げることが可能な左折り曲げ部および右折り曲げ部と、
前記載置部と前記左折り曲げ部および右折り曲げ部の上下に繋がり、前記載置部の前記載置面に垂直な方向に折り曲げることが可能な上折り曲げ部および下折り曲げ部と、
前記載置部の上下の端縁付近から前記載置部の中央に向かう方向に延び、前記載置部の前記載置面に垂直な方向に折り曲げることが可能な上係止部および下係止部と、を有し、
前記左折り曲げ部と前記右折り曲げ部は、前記載置部に前記フィルム保持体の前記鍔部を載せた状態で、前記左折り曲げ部と前記右折り曲げ部を前記載置部に接近するまで折り曲げると、前記鍔部が前記載置部と前記左折り曲げ部および前記右折り曲げ部によって挟まれる形状を有し、
前記上係止部および前記下係止部は、前記鍔部が前記載置部と前記左折り曲げ部および前記右折り曲げ部によって挟まれた状態で前記上折り曲げ部および前記下折り曲げ部を前記左折り曲げ部および前記右折り曲げ部の折り曲げ方向と逆方向に折り曲げ、さらに前記上係止部および前記下係止部を前記左折り曲げ部および前記右折り曲げ部と同じ方向に折り曲げると、前記上折り曲げ部および前記下折り曲げ部に、前記上係止部および前記下係止部の先端を引っ掛けることが可能な形状を有し、
前記上折り曲げ部および前記下折り曲げ部に、前記上係止部および前記下係止部の先端を引っ掛けることにより、前記フィルム保持体に前記包装体が装着される、
ことを特徴とするフィルムパック。
【請求項２】
請求項１に記載のフィルムパックにおいて、
前記上係止部および前記下係止部を折り曲げた状態において、前記載置部に繋がる前記上折り曲げ部および前記下折り曲げ部と前記右折り曲げ部および前記左折り曲げ部に繋がる前記上折り曲げ部および前記下折り曲げ部とが、前記上係止部の上側および前記下係止部の下側において互いに重なり合い、
前記上係止部および前記下係止部は、互いに重なり合った前記上折り曲げ部および前記下折り曲げ部の間に前記先端が挿入される、
ことを特徴とするフィルムパック。
【請求項３】
請求項１または２に記載のフィルムパックにおいて、
前記上係止部および下係止部は、前記上折り曲げ部および前記下折り曲げ部に引っ掛けられる前記先端部が、他の部分に比べて幅広となっている、
ことを特徴とするフィルムパック。
【請求項４】
請求項３に記載のフィルムパックにおいて、
前記上折り曲げ部および前記下折り曲げ部は、前記上係止部および前記下係止部が引っ掛かる位置に切欠きを有し、前記先端部から根元に近い前記上係止部および前記下係止部の部分が、前記切り欠きに嵌り込む、
ことを特徴とするフィルムパック。
【請求項５】
請求項１ないし４の何れか一項に記載のフィルムパックにおいて、
前記左折り曲げ部と前記右折り曲げ部は、前記載置部に前記フィルム保持体の前記鍔部を載せた状態で、前記左折り曲げ部と前記右折り曲げ部を前記載置部に接近するまで折り曲げると、前記フィルム保持体に装着された前記フィルムの側面を押さえる舌片を有する、
ことを特徴とするフィルムパック。
【請求項６】
請求項１ないし５の何れか一項に記載のフィルムパックにおいて、
前記上係止部および前記下係止部は、前記上折り曲げ部および前記下折り曲げ部に対する引っ掛かりを解除する方向に前記上係止部および前記下係止部の前記先端を持ち上げるための摘みを備える、
ことを特徴とするフィルムパック。
【請求項７】
請求項１ないし６の何れか一項に記載のフィルムパックにおいて、
前記載置部は、前記フィルム保持体の前記鍔部の輪郭よりもやや狭い開口を備える、
ことを特徴とするフィルムパック。
【請求項８】
請求項１ないし７の何れか一項に記載のフィルムパックにおいて、
前記載置部の一端が他端と異なる形状を有する、
ことを特徴とするフィルムパック。
【請求項９】
請求項１ないし８の何れか一項に記載のフィルムパックにおいて、
前記包装体は、段ボールによって形成されている、
ことを特徴とするフィルムパック。
【請求項１０】
筒状のフィルムが折り畳まれた状態で外周に装着されるとともに、装着された前記フィルムの上下方向の少なくとも一方の端縁を押さえる鍔部を有するフィルム保持体に取り付けられる包装体であって、
前記フィルム保持体が載せられる板状の載置部と、
前記載置部の左右に繋がり、前記載置部の載置面に垂直な方向に折り曲げることが可能な左折り曲げ部および右折り曲げ部と、
前記載置部と前記左折り曲げ部および右折り曲げ部の上下に繋がり、前記載置部の前記載置面に垂直な方向に折り曲げることが可能な上折り曲げ部および下折り曲げ部と、
前記載置部の上下の端縁付近から前記載置部の中央に向かう方向に延び、前記載置部の前記載置面に垂直な方向に折り曲げることが可能な上係止部および下係止部と、を備え、
前記左折り曲げ部と前記右折り曲げ部は、前記載置部に前記フィルム保持体の前記鍔部を載せた状態で、前記左折り曲げ部と前記右折り曲げ部を前記載置部に接近するまで折り曲げると、前記鍔部が前記載置部と前記左折り曲げ部および前記右折り曲げ部によって挟まれる形状を有し、
前記上係止部および前記下係止部は、前記鍔部が前記載置部と前記左折り曲げ部および前記右折り曲げ部によって挟まれた状態で前記上折り曲げ部および前記下折り曲げ部を前記左折り曲げ部および前記右折り曲げ部の折り曲げ方向と逆方向に折り曲げ、さらに前記上係止部および前記下係止部を前記左折り曲げ部および前記右折り曲げ部と同じ方向に折り曲げると、前記上折り曲げ部および前記下折り曲げ部に、前記上係止部および前記下係止部の先端を引っ掛けることが可能な形状を有する、
ことを特徴とする包装体。
【発明の詳細な説明】
【技術分野】
【０００１】
本発明は、樹脂製のフィルムにより収容物を密封するフィルム密封装置用のフィルムパックおよびそれに用いる包装体に関する。
【背景技術】
【０００２】
従来、筒状フィルムの上下を溶着して排泄物や汚物等を密封する便座装置が知られている（たとえば、特許文献１）。この種の便座装置では、排泄物や汚物等が通る通路にフィルムが配され、所定の送り機構によって、フィルムが下方に送られる。筒状フィルムは、たとえば、上記通路の外側のスペースに折りたたまれて収容される。
【先行技術文献】
【特許文献】
【０００３】
【特許文献１】特開２００９−２８６４０９号公報
【発明の概要】
【発明が解決しようとする課題】
【０００４】
上記構成の便座装置では、フィルムが消耗品となる。フィルムが使い尽されると、使用者は、新たなフィルムを便座装置に装着する必要がある。このようなフィルム交換は、なるべく簡便であることが望ましい。また、フィルムの製造業者側でも、なるべく簡便な作業で、交換用のフィルムを輸送用として包装できることが望ましい。
【０００５】
上記課題に鑑み、本発明は、使用者側では簡便にフィルムを便座装置にセットができ、且つ、製造業者側では、簡便な作業でフィルムを包装できるフィルムパックおよびそれに用いる包装体を提供することを目的とする。
【課題を解決するための手段】
【０００６】
本発明の第１の態様は、フィルムパックに関する。本態様に係るフィルムパックは、筒状のフィルムが折り畳まれた状態で外周に装着されるフィルム保持体と、前記フィルム保持体に取り付けられる包装体と、を備える。前記フィルム保持体は、外周に装着された前記フィルムの上下方向の少なくとも一方の端縁を押さえる鍔部を有する。前記包装体は、前記フィルム保持体が載せられる板状の載置部と、前記載置部の左右に繋がり、前記載置部の載置面に垂直な方向に折り曲げることが可能な左折り曲げ部および右折り曲げ部と、前記載置部と前記左折り曲げ部および右折り曲げ部の上下に繋がり、前記載置部の前記載置面に垂直な方向に折り曲げることが可能な上折り曲げ部および下折り曲げ部と、前記載置部の上下の端縁付近から前記載置部の中央に向かう方向に延び、前記載置部の前記載置面に垂直な方向に折り曲げることが可能な上係止部および下係止部と、を有する。ここで、前記左折り曲げ部と前記右折り曲げ部は、前記載置部に前記フィルム保持体の前記鍔部を載せた状態で、前記左折り曲げ部と前記右折り曲げ部を前記載置部に接近するまで折り曲げると、前記鍔部が前記載置部と前記左折り曲げ部および前記右折り曲げ部によって挟まれる形状を有する。また、前記上係止部および前記下係止部は、前記鍔部が前記載置部と前記左折り曲げ部および前記右折り曲げ部によって挟まれた状態で前記上折り曲げ部および前記下折り曲げ部を前記左折り曲げ部および前記右折り曲げ部の折り曲げ方向と逆方向に折り曲げ、さらに前記上係止部および前記下係止部を前記左折り曲げ部および前記右折り曲げ部と同じ方向に折り曲げると、前記上折り曲げ部および前記下折り曲げ部に、前記上係止部および前記下係止部の先端を引っ掛けることが可能な形状を有する。前記上折り曲げ部および前記下折り曲げ部に、前記上係止部および前記下係止部の先端を引っ掛けることにより、前記フィルム保持体に前記包装体が装着される。
【０００７】
本態様に係るフィルムパックによれば、載置部にフィルム保持体の鍔部を載せた状態で、左折り曲げ部と右折り曲げ部を折り曲げ、その後、上折り曲げ部と下折り曲げ部を折り曲げて、これらに上係止部と下係止部を引っ掛けるだけで、フィルム保持体に包装体に装着される。よって、製造業者側では、簡便な作業でフィルム保持体に包装体を装着できる。また、上係止部と下係止部を上折り曲げ部と下折り曲げ部から引き離すだけで、包装体が容易に展開可能となる。よって、使用者側では、簡便な作業により、フィルムを保持したフィルム保持体を便座装置にセットできる。
【０００８】
本態様に係るフィルムパックは、前記上係止部および前記下係止部を折り曲げた状態において、前記載置部に繋がる前記上折り曲げ部および前記下折り曲げ部と前記右折り曲げ部および前記左折り曲げ部に繋がる前記上折り曲げ部および前記下折り曲げ部とが、前記上係止部の上側および前記下係止部の下側において互いに重なり合うよう構成され得る。この場合、前記上係止部および前記下係止部は、互いに重なり合った前記上折り曲げ部および前記下折り曲げ部の間に前記先端が挿入される。こうすると、上係止部および下係止部が、互いに重なり合った上折り曲げ部および下折り曲げ部の間に前記先端が挿入されるため、上折り曲げ部および下折り曲げ部から上係止部および下係止部が抜けにくくなる。よって、フィルム保持体に対する包装体の装着状態を安定化させることができる。
【０００９】
また、本態様に係るフィルムパックは、前記上係止部および下係止部は、前記上折り曲げ部および前記下折り曲げ部に引っ掛けられる前記先端部が、他の部分に比べて幅広となるよう構成され得る。このように、上係止部および下係止部の先端部を幅広にすることにより上折り曲げ部および下折り曲げ部から上係止部および下係止部が抜けにくくなる。よって、フィルム保持体に対する包装体の装着状態を安定化させることができる。
【００１０】
また、本態様に係るフィルムパックは、前記上折り曲げ部および前記下折り曲げ部が、前記上係止部および前記下係止部が引っ掛かる位置に切欠きを有し、前記先端部から根元に近い前記上係止部および前記下係止部の部分が、前記切り欠きに嵌り込むよう構成され得る。こうすると、上係止部および下係止部の先端部が上折り曲げ部および下折り曲げ部の切り欠きの両側に引っ掛かるため上係止部および下係止部が抜けにくくなる。よって、フィルム保持体に対する包装体の装着状態をさらに安定化させることができる。
【００１１】
本態様に係るフィルムパックにおいて、前記左折り曲げ部と前記右折り曲げ部は、前記載置部に前記フィルム保持体の前記鍔部を載せた状態で、前記左折り曲げ部と前記右折り曲げ部を前記載置部に接近するまで折り曲げると、前記フィルム保持体に装着された前記フィルムの側面を押さえる舌片を有する構成とされ得る。こうすると、フィルム保持体に包装体が取り付けられた状態において、フィルムの側面が舌片によって押さえられる。よって、フィルムパックの搬送時等にフィルムがばらつくことを防ぐことができる。
【００１２】
また、本態様に係るフィルムパックにおいて、前記上係止部および前記下係止部は、前記上折り曲げ部および前記下折り曲げ部に対する引っ掛かりを解除する方向に前記上係止部および前記下係止部の前記先端を持ち上げるための摘みを備える構成とされ得る。こうすると、上折り曲げ部および下折り曲げ部に対する上係止部および下係止部の引っ掛かりを容易に解除することができる。
【００１３】
本態様に係るフィルムパックにおいて、前記載置部は、前記フィルム保持体の前記鍔部の輪郭よりもやや狭い開口を備える構成とされ得る。こうすると、開口を介してフィルムを視認できるため、便座装置にフィルム保持体を載せる際に、フィルム保持体を位置決めし易くなる。よって、フィルム装着時の作業性を高めることができる。
【００１４】
また、本態様に係るフィルムパックは、前記載置部の一端が他端と異なる形状を有する構成とされ得る。こうすると、フィルムの前後方向を間違えることなくフィルム保持体を便座装置にセットできる。なお、載置部の形状を、便座装置側の被載置部の形状に合わせることにより、フィルムパック装着時に、フィルムの前後方向を間違えることを防ぐだけでなく、セット位置の誤りや位置ずれを防ぐこともできる。
【００１５】
本態様に係るフィルムパックにおいて、前記包装体は、段ボールによって形成することが望ましい。こうすると、強度を維持しながら安価に包装体を生成することができる。
【００１６】
本発明の第２の態様は、筒状のフィルムが折り畳まれた状態で外周に装着されるとともに、装着された前記フィルムの上下方向の少なくとも一方の端縁を押さえる鍔部を有するフィルム保持体に取り付けられる包装体に関する。本態様に係る包装体は、前記フィルム保持体が載せられる板状の載置部と、前記載置部の左右に繋がり、前記載置部の載置面に垂直な方向に折り曲げることが可能な左折り曲げ部および右折り曲げ部と、前記載置部と前記左折り曲げ部および右折り曲げ部の上下に繋がり、前記載置部の前記載置面に垂直な方向に折り曲げることが可能な上折り曲げ部および下折り曲げ部と、前記載置部の上下の端縁付近から前記載置部の中央に向かう方向に延び、前記載置部の前記載置面に垂直な方向に折り曲げることが可能な上係止部および下係止部と、を備える。ここで、前記左折り曲げ部と前記右折り曲げ部は、前記載置部に前記フィルム保持体の前記鍔部を載せた状態で、前記左折り曲げ部と前記右折り曲げ部を前記載置部に接近するまで折り曲げると、前記鍔部が前記載置部と前記左折り曲げ部および前記右折り曲げ部によって挟まれる形状を有する。また、前記上係止部および前記下係止部は、前記鍔部が前記載置部と前記左折り曲げ部および前記右折り曲げ部によって挟まれた状態で前記上折り曲げ部および前記下折り曲げ部を前記左折り曲げ部および前記右折り曲げ部の折り曲げ方向と逆方向に折り曲げ、さらに前記上係止部および前記下係止部を前記左折り曲げ部および前記右折り曲げ部と同じ方向に折り曲げると、前記上折り曲げ部および前記下折り曲げ部に、前記上係止部および前記下係止部の先端を引っ掛けることが可能な形状を有する。
【００１７】
本態様に係る包装体を用いることにより、上記第１の態様と同様の効果が奏され得る。
【発明の効果】
【００１８】
以上のとおり、本発明によれば、使用者側では簡便にフィルムを便座装置にセットでき、且つ、製造業者側では、簡便な作業でフィルムを包装できるフィルムパックおよびそれに用いる包装体を提供することができる。
【００１９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２０】
【図１】実施の形態に係るフィルム保持体とフィルムを示す斜視図である。
【図２】実施の形態に係るフィルム保持体の構成を示す斜視図、および断面図である。
【図３】実施の形態に係るメカ構成と支持体の構成を示す斜視図である。
【図４】実施の形態に係る便座装置の組み立て過程を示す斜視図である。
【図５】実施の形態に係る便座装置の組み立て過程を示す斜視図である。
【図６】実施の形態に係る排泄処理時におけるフィルムユニットの動作を説明する図である。
【図７】実施の形態に係る排泄処理時におけるフィルムユニットの動作を説明する図である。
【図８】実施の形態に係る排泄処理時におけるフィルムユニットの動作を説明する図である。
【図９】実施の形態に係るフィルムパックの包装体が展開された状態を示す平面図である。
【図１０】実施の形態に係る包装体の組み立て過程を示す図である。
【図１１】実施の形態に係る包装体の組み立て過程を示す図である。
【図１２】実施の形態に係る包装体の組み立て過程を示す図である。
【図１３】実施の形態に係るフィルムパックと輸送用の箱の構成を示す斜視図である。
【図１４】実施の形態に係るフィルムパックが輸送用の箱に収容された構成を示す斜視図である。
【図１５】実施の形態に係るフィルムパックの取り付け過程を示す図である。
【図１６】実施の形態に係るフィルムパックの取り付け過程を示す図である。
【図１７】実施の形態に係るフィルムパックの取り付け過程を示す図である。
【図１８】実施の形態に係る便座が取り付けられた状態のフィルム保持体とフィルムの要部を示す断面図である。
【図１９】変更例に係るフィルム保持体の構成を示す断面図である。
【発明を実施するための形態】
【００２１】
以下、本発明の実施の形態につき図面を参照して説明する。本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００２２】
図１（ａ）は、フィルム保持体ＨとフィルムＦの構成を示す分解斜視図、図１（ｂ）はフィルム保持体ＨとフィルムＦの構成を示す斜視図である。
【００２３】
フィルム保持体Ｈは、上枠Ｈ１と、下枠Ｈ２を有する。
【００２４】
フィルムＦは、樹脂製の筒状フィルムであり、外周方向に予め折り畳まれている。フィルムＦは、終端が近いことを示すマークＭが印字された状態で折り畳まれている。マークＭは、フィルムＦが終端近くまで引き出されたときに、フィルムＦのＹ軸正側の内側面に現れる。便座装置の使用者は、このマークＭを視認することにより、フィルムＦの交換時期を知ることができる。
【００２５】
上枠Ｈ１と下枠Ｈ２は、平面視において、略楕円の形状を有する。上枠Ｈ１には、略楕円形状の開口Ｈ１ａが形成されている。上枠Ｈ１は、略鉛直に延びる筒部Ｈ１ｂと、筒部Ｈ１ｂの上端から外側に延びる鍔部Ｈ１ｃを備える。また、筒部Ｈ１ｂの下端には、内側に延びる鍔部Ｈ１ｄが形成されている。
【００２６】
下枠Ｈ２には、略楕円形状の開口Ｈ２ａが形成されている。下枠Ｈ２は、略鉛直に延びる筒部Ｈ２ｂと、筒部Ｈ２ｂの下端から外側に延びる鍔部Ｈ２ｃを備える。筒部Ｈ２ｂの上端には、内側に延びる鍔部Ｈ２ｄが形成されている。鍔部Ｈ２ｃのＺ軸負側の面には、凹部Ｈ２ｅが形成されている。
【００２７】
フィルム保持体Ｈの組立時には、フィルムＦを上下から挟むようにして、上枠Ｈ１の筒部Ｈ１ｂと、下枠Ｈ２の筒部Ｈ２ｂがフィルムＦ内に通される。フィルムＦ内で、上枠Ｈ１の鍔部Ｈ１ｄと、下枠Ｈ２の鍔部Ｈ２ｄが合わされる。この状態で、上枠Ｈ１の鍔部Ｈ１ｄと下枠Ｈ２の鍔部Ｈ２ｄが熱溶着される。これにより、フィルムＦと上枠Ｈ１と下枠Ｈ２が一体化される。
【００２８】
図２（ａ）は、上枠Ｈ１と下枠Ｈ２が一体化されたフィルム保持体Ｈの構成を示す斜視図である。図２（ｂ）は、図２（ａ）に示すフィルム保持体ＨをＹ軸方向中央位置でＸ−Ｚ平面に平行な平面で切断した断面をＹ軸正方向に見た断面図である。なお、図２（ａ）、（ｂ）において、フィルムＦは、便宜上、図示省略されている。
【００２９】
図２（ａ）を参照して、上枠Ｈ１の鍔部Ｈ１ｃと筒部Ｈ１ｂの間には、傾斜部Ｈ１ｅ、Ｈ１ｆと、壁部Ｈ１ｇが形成されている。図２（ｂ）に示すように、傾斜部Ｈ１ｅ、Ｈ１ｆは、上部が広がるように傾いており、壁部Ｈ１ｇは、Ｚ軸方向に略平行となっている。傾斜部Ｈ１ｆは、傾斜部Ｈ１ｅよりも傾斜角度が大きい。壁部Ｈ１ｇは、Ｚ軸方向にある程度の幅を有している。上枠Ｈ１の鍔部Ｈ１ｃと、下枠Ｈ２の鍔部Ｈ２ｃの間には、所定の隙間が形成されている。この隙間に図１に示すフィルムＦが装着される。上枠Ｈ１の筒部Ｈ１ｂと下枠Ｈ２の筒部Ｈ２ｂの外周にフィルムＦが装着された状態で、フィルムＦのＺ軸正側の端縁が所定量だけ上方向に引き出され、開口Ｈ１ａ、開口Ｈ２ａに下方向に通される。こうして、図１（ｂ）に示すようにフィルム保持体ＨにフィルムＦがセットされる。
【００３０】
図３は、便座装置のメカ構成体１０と支持体２０の構成を示す斜視図である。
【００３１】
メカ構成体１０は、ベース１１と、機構部１２と、ガイド１３を備えている。ベース１１には、水平面に平行な上面１１ａと、ベース１１を上下方向に貫通する開口１１ｂと、Ｚ軸正側に突出する複数の凸部１１ｃが設けられている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。
【００３２】
図３に示すように、支持体２０には、凹部２０ａが形成され、凹部２０ａの底面には、開口２０ｂが形成されている。支持体２０の上面には、孔２０ｃが形成されている。支持体２０の前面（Ｙ軸負側）には、メカ構成体１０を動作させるためのスイッチ２１が設置されている。メカ構成体１０は、凹部２０ａに嵌め込まれるように支持体２０に設置される。そして、スイッチ２１が、メカ構成体１０の回路基板と接続される。
【００３３】
こうして、メカ構成体１０が設置された後、図４に示すように、メカ構成体１０を覆うようにして、支持体２０に、座面枠３１が設置され、さらに、便座３５が設置される。座面枠３１は、水平部３１ａの後部に背面部３１ｂが一体的に形成された構成となっている。便座３５は、水平部３１ａに形成された凹部に嵌め込まれる。鍔部３２ａが座面枠３１の背面部３１ｂに掛けられることにより、背もたれ３２が設置される。さらに、ひじ掛け３３、３４下面の軸（図示せず）が支持体２０の孔２０ｃ（図３参照）に挿入されることにより、ひじ掛け３３、３４が支持体２０に設置される。便座３５の開口３５ａを覆うようにしてカバー３６が設置される。こうして、便座装置１が組み立てられる。
【００３４】
便座装置１の使用時には、図５に示すように、便座３５とカバー３６が取り外され、図１（ｂ）に示すフィルム保持体ＨとフィルムＦがメカ構成体１０上にセットされる。その後、メカ構成体１０の機構部１２にフィルムＦの端部が装着される。
【００３５】
図６（ａ）〜図８は、排泄処理時における機構部１２の動作を説明する図である。図６（ａ）〜図８は、フィルム保持体Ｈとメカ構成体１０をＹ−Ｚ平面に平行な面で切断した断面図である。破線は、Ｘ軸正側の２つのローラ１０１に挟まれた状態のフィルムＦを示している。
【００３６】
図６（ａ）を参照して、機構部１２は、フィルム送り機構１００と、シール機構２００を備えている。
【００３７】
フィルム送り機構１００は、ローラ１０１とローラ１０１を駆動させるための駆動機構を備える。フィルム送り機構１００は、フィルムＦの端縁を挟み込んでＺ軸方向に送る。シール機構２００は、シャフト２１１と、ヒータ２２１を含む加熱機構２２０と、圧着部２３１を含む圧着機構２３０と、ゴム２４１を含む引き剥がし機構２４０を備える。シャフト２１１と加熱機構２２０は、ベース１１に固定されている。圧着機構２３０と引き剥がし機構２４０は、摺動可能にシャフト２１１に支持されている。引き剥がし機構２４０は、ゴム２４１を備えている。ゴム２４１は、バネによってＹ軸方向に移動可能に支持されている。
【００３８】
図６（ａ）に示すように、排泄処理の初期状態において、フィルムＦは、２組のローラ１０１に挟まれている。フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００３９】
排泄後に作業者または使用者がスイッチ２１（図５参照）を介して排泄終了の指示を入力すると、モータ（図示せず）が所定ステップ数駆動され、２組のローラ１０１によりフィルムＦが下方向（Ｚ軸負方向）に送られる。これにより、図６（ｂ）に示す状態となる。その後、モータ（図示せず）が所定ステップ数駆動され、圧着機構２３０が離間位置からＹ軸正方向に送られる。これにより、フィルムＦは、圧着部２３１に押されてＹ軸正方向に寄せられる。さらに、圧着機構２３０がＹ軸正方向に送られると、圧着部２３１がフィルムＦを介して引き剥がし機構２４０のゴム２４１に当接し、バネ（図示せず）の反発力に抗して、引き剥がし機構２４０をＹ軸正方向に押す。さらに圧着部２３１がＹ軸正方向に送られると、図７（ａ）に示すように、圧着機構２３０が圧着位置に到達し、圧着部２３１とヒータ２２１が、フィルムＦを介して密着する。
【００４０】
この状態で、再度、モータ（図示せず）が所定ステップ数駆動され、フィルムＦが僅かに下方に送られる。これにより、図７（ｂ）に示すように、圧着部２３１とヒータ２２１の上側のフィルムＦが緩められる。その後、ヒータ２２１が駆動され、フィルムＦが溶融される。圧着部２３１にはＺ軸方向中央部にＸ軸方向に延びる突条が設けられている。この突条によってフィルムＦが切断される。フィルムＦは、突条の下側部分が溶着されて、排泄物等が収容されたフィルムＦの上部が密封される。また、フィルムＦは、突条の上側部分が溶着されて、次に排泄物等を収容するためのフィルムＦの下底が形成される。
【００４１】
フィルムＦの密封と切断が完了すると、圧着機構２３０がＹ軸負方向に戻される。これにより、圧着部２３１がヒータ２２１とゴム２４１から離れ、引き剥がし機構２４０が、バネ（図示せず）により所定幅だけＹ軸負方向に送られる。このとき、圧着部２３１とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。こうして、図８に示すように、密封されたフィルムＦは支持体３０の開口３０ｂ（図３参照）を通って落下する。密封されたフィルムＦが落下する位置に、密封されたフィルムＦを回収するための箱等を設置することにより、作業者は容易に密封されたフィルムＦを回収することができる。
【００４２】
ところで、便座装置１に対するフィルム保持体ＨとフィルムＦの装着は、使用者側で行われるる。フィルムＦは消耗部材であるため、フィルムＦを使用し終えた後は、使用者側でフィルムＦの交換作業を行う必要がある。この作業は、なるべく簡便であることが望ましい。
【００４３】
そこで、本実施の形態では、交換作業が簡便となるように構成されたフィルムパックＦＰが用いられる。フィルムパックＦＰは、フィルムＦの製造業者側においても、作業が簡便となるよう包装体Ｐに工夫がなされている。
【００４４】
図９は、フィルムパックＦＰの包装体Ｐが展開された状態を示す平面図である。
【００４５】
図９を参照して包装体Ｐは、フィルム保持体Ｈを保持する段ボール製の梱包部材である。包装体Ｐは、載置部Ｐ１と、左折り曲げ部Ｐ２と、右折り曲げ部Ｐ３と、上折り曲げ部Ｐ４と、下折り曲げ部Ｐ５からなる。載置部Ｐ１は、フィルム保持体Ｈの外径よりも大きい板状の形状を有する。載置部Ｐ１の左端には、左折り曲げ部Ｐ２が繋がっており、載置部Ｐ１の右端には、右折り曲げ部Ｐ３が繋がっている。載置部Ｐ１と左折り曲げ部Ｐ２および右折り曲げ部Ｐ３の上端には、上折り曲げ部Ｐ４が繋がっている。載置部Ｐ１と左折り曲げ部Ｐ２および右折り曲げ部Ｐ３の下端には、下折り曲げ部Ｐ５が繋がっている。図９の閉領域Ｓ１〜Ｓ４は、切り抜かれており、包装体Ｐが存在しない領域である。
【００４６】
載置部Ｐ１の中央には略楕円形状の開口Ｐ１１が形成されている。開口Ｐ１１は、中央部の幅がやや狭くなっている。開口Ｐ１１は、フィルム保持体Ｈの鍔部Ｈ１ｃ（図２（ａ）参照）よりもやや狭い。開口Ｐ１１の中央の左右には、それぞれ、切り起こし片Ｐ１１ａ、Ｐ１１ｂが形成されている。切り起こし片Ｐ１１ａ、Ｐ１１ｂには、それぞれ、上下の位置に左右方向のミシン目が形成されており、前後方向に力を加えることにより、容易に前後方向に折り曲げることができる。
【００４７】
開口Ｐ１１の上端と下端から、それぞれ、上係止部Ｐ１２と、下係止部Ｐ１３が中央に向かって形成されている。上係止部Ｐ１２は、腕部Ｐ１２ａと、先端部Ｐ１２ｂからなる。先端部Ｐ１２ｂの左右方向の幅は、腕部Ｐ１２ａの左右方向の幅よりも広い。先端部Ｐ１２ｂには、半円形状の摘みＰ１２ｃが形成されている。摘みＰ１２ｃは、円弧の部分に切り目が入れられており、前後方向に折り曲げることができる。上係止部Ｐ１２は、根元が折り曲げ可能となっている。下係止部Ｐ１３には、上係止部Ｐ１２と同様に、腕部Ｐ１３ａと、先端部Ｐ１３ｂと、摘みＰ１３ｃが形成されている。載置部Ｐ１の左下および右下には、それぞれ、角が丸められたＲ部Ｐ１４、Ｐ１５が形成されている。Ｒ部Ｐ１４、Ｐ１５は、図４に示す便座３５の角の形状に沿った形状を有する。
【００４８】
左折り曲げ部Ｐ２は、載置部Ｐ１に対して折り曲げが可能となっている。左折り曲げ部Ｐ２の左右の幅は、載置部Ｐ１の左右の幅の略半分である。また、左折り曲げ部Ｐ２左右方向の幅は、フィルム保持体Ｈの短軸（Ｘ軸）の半径よりも大きい。左折り曲げ部Ｐ２には、４つの角を有する境界Ｐ２１と開口Ｐ２２との間に５つの舌片Ｐ２３が形成されている。すなわち、境界Ｐ２１の各角から開口Ｐ２２に向かって直線状に切り目を入れることにより、前後方向に折り曲げ可能に５つの舌片Ｐ２３が形成されている。左折り曲げ部Ｐ２の右下には、角が丸められたＲ部Ｐ２４が形成されている。
【００４９】
右折り曲げ部Ｐ３は、左折り曲げ部Ｐ２と載置部Ｐ１を挟んで左右対称になっている。右折り曲げ部Ｐ３は、左折り曲げ部Ｐ２と同様に境界Ｐ３１と、開口Ｐ３２と、舌片Ｐ３３と、Ｒ部Ｐ３４を有している。
【００５０】
上折り曲げ部Ｐ４は、載置部Ｐ１、左折り曲げ部Ｐ２および右折り曲げ部Ｐ３に対して前後に折り曲げが可能となっている。上折り曲げ部Ｐ４は、載置部Ｐ１と繋がる中央部Ｐ４１と、左折り曲げ部Ｐ２と繋がる左部Ｐ４２と、右折り曲げ部Ｐ３と繋がる右部Ｐ４３からなる。中央部Ｐ４１の中央には、矩形状の切り欠きＰ４１ａが形成されている。切り欠きＰ４１ａの左右方向の幅は、上係止部Ｐ１２の腕部Ｐ１２ａの左右方向の幅と略同じである。左部Ｐ４２の左角と右部Ｐ４３の右角には、それぞれ、斜め方向に切り取られた切り欠きＰ４２ａ、Ｐ４３ａが形成されている。
【００５１】
下折り曲げ部Ｐ５は、載置部Ｐ１に対して折り曲げが可能となっている。下折り曲げ部Ｐ５は、載置部Ｐ１を挟んで上下対象となっている。下折り曲げ部Ｐ５は、上折り曲げ部Ｐ４と同様に、中央部Ｐ５１と、左部Ｐ５２と、右部Ｐ５３からなる。中央部Ｐ５１、左部Ｐ５２および右部Ｐ５３には、それぞれ、切り欠きＰ５１ａ、Ｐ５２ａ、Ｐ５３ａが、それぞれ、形成されている。
【００５２】
図１０〜図１２は、包装体Ｐの組み立て過程を示す図である。
【００５３】
包装体Ｐの組み立て時には、まず、図１０に示すように、鍔部Ｈ１ｃ側が下側を向くようにして、フィルム保持体Ｈを包装体Ｐの載置部Ｐ１の載置面に載せる。この状態で、左折り曲げ部Ｐ２を載置部Ｐ１の載置面に垂直な方向に折り曲げ、右折り曲げ部Ｐ３を載置部Ｐ１の載置面に垂直な方向に折り曲げる。このとき、舌片Ｐ２３、Ｐ３３を、それぞれ、外側に緩やかに折り曲げておく。その後、左折り曲げ部Ｐ２、右折り曲げ部Ｐ３を載置部Ｐ１に接近するように、さらに折り曲げる。これにより、図１１（ａ）に示す状態となる。
【００５４】
図１１（ａ）に示す状態において、左折り曲げ部Ｐ２の右端と右折り曲げ部Ｐ３の左端は、略当接した状態となる。この状態で、フィルム保持体Ｈの鍔部Ｈ１ｃは、載置部Ｐ１（図７参照）と左折り曲げ部Ｐ２と右折り曲げ部Ｐ３によって挟まれる。すなわち、境界Ｐ２１、Ｐ３１は、鍔部Ｈ１ｃよりも包装体Ｐの内側に位置付けられる。また、フィルムＦの側面が舌片Ｐ２３、Ｐ３３によって押さえられる。この状態で、上折り曲げ部Ｐ４と下折り曲げ部Ｐ５を左折り曲げ部Ｐ２と右折り曲げ部Ｐ３の折り曲げ方向と逆の方向に折り曲げつつ、包装体Ｐとフィルム保持体Ｈを上下に反転させる。こうして、図１１（ｂ）の状態になる。
【００５５】
図１１（ｂ）のように上折り曲げ部Ｐ４と下折り曲げ部Ｐ５を折り曲げると、左折り曲げ部Ｐ２と右折り曲げ部Ｐ３が開くことがない。これにより、図１１（ｂ）の状態が維持される。図１１（ｂ）の状態において、上折り曲げ部Ｐ４と下折り曲げ部Ｐ５は、少なくとも、略鉛直方向よりも内側に傾くように折り曲げられる。この状態で、上折り曲げ部Ｐ４の中央部Ｐ４１と、左部Ｐ４２および右部Ｐ４３とが、互いに重なり合っており、同様に、下折り曲げ部Ｐ５の中央部Ｐ５１と、左部Ｐ５２および右部Ｐ５３とが、互いに重なり合っている。
【００５６】
その後、上係止部Ｐ１２と、下係止部Ｐ１３が、それぞれ、上方向に折り曲げられ、さらに、先端部Ｐ１２ｂ、Ｐ１３ｂが、それぞれ、同じ方向に折り曲げられる。そして、先端部Ｐ１２ｂが、上折り曲げ部Ｐ４の中央部Ｐ４１と左部Ｐ４２および右部Ｐ４３との間に挿し込まれる。同様に、先端部Ｐ１３ｂが、下折り曲げ部Ｐ５の中央部Ｐ５１と左部Ｐ５２および右部Ｐ５３との間に挿し込まれる。これにより、図１２（ａ）に示す状態となる。
【００５７】
図１２（ａ）に示す状態で、上係止部Ｐ１２の先端部Ｐ１２ｂが上折り曲げ部Ｐ４に引っ掛けられているため、上折り曲げ部Ｐ４が外側に展開することが抑制される。また、下係止部Ｐ１３の先端部Ｐ１３ｂが下折り曲げ部Ｐ５に引っ掛けられているため、下折り曲げ部Ｐ５が外側に展開することが抑制される。こうして、上折り曲げ部Ｐ４、下折り曲げ部Ｐ５の展開が抑制されることにより、左折り曲げ部Ｐ２（図１０（ａ）参照）、右折り曲げ部Ｐ３（図１０（ａ）参照）の展開も抑制される。これにより、フィルム保持体Ｈの鍔部Ｈ１ｃ（図１０（ａ）参照）が左折り曲げ部Ｐ２と右折り曲げ部Ｐ３によって保持される。
【００５８】
この状態で、上係止部Ｐ１２の腕部Ｐ１２ａが上折り曲げ部Ｐ４の切り欠きＰ４１ａに嵌り込むように、上係止部Ｐ１２がさらに押し込まれる。また、同様に、下係止部Ｐ１３の腕部Ｐ１３ａが下折り曲げ部Ｐ５の切り欠きＰ５１ａに嵌り込むように、下係止部Ｐ１３がさらに押し込まれる。こうして、図１２（ｂ）に示すように、に示すように、フィルムパックＦＰの組み立てが完了する。
【００５９】
図１３は、フィルムパックＦＰとフィルムパックＦＰを輸送するための箱Ｂの構成を示す斜視図である。図１３に示すように、包装体Ｐは、略方形形状の輪郭を有しているため、フィルムＦの製造業者は、方形形状の箱Ｂに容易に収めることができる。図１４は、フィルムパックＦＰが箱Ｂに収容された構成を示す斜視図である。こうして、フィルムパックＦＰが箱Ｂに梱包されると、フィルムＦの製造業者により箱Ｂに梱包されたフィルムパックＦＰが便座装置１の使用者に送付される。
【００６０】
＜実施の形態の効果＞
本実施の形態によれば、以下の効果が奏され得る。
【００６１】
図９（ａ）〜図１２（ｂ）に示すように、フィルムＦの製造業者は、包装体Ｐの左折り曲げ部Ｐ２、右折り曲げ部Ｐ３、上折り曲げ部Ｐ４、下折り曲げ部Ｐ５の折り曲げ作業および上係止部Ｐ１２、下係止部Ｐ１３を引っ掛けるといった、簡便な作業でフィルム保持体Ｈに包装体Ｐを装着することができる。
【００６２】
また、図１２（ａ）に示すように、上係止部Ｐ１２の先端部Ｐ１２ｂが上折り曲げ部Ｐ４の隙間に、下係止部Ｐ１３の先端部Ｐ１３ｂが下折り曲げ部Ｐ５の隙間に挿入されるため、上係止部Ｐ１２、下係止部Ｐ１３が抜けにくくなる。よって、フィルム保持体Ｈに対する包装体Ｐの装着状態を安定化させることができる。
【００６３】
また、図９に示すように上係止部Ｐ１２の先端部Ｐ１２ｂ、下係止部Ｐ１３の先端部Ｐ１３ｂは、それぞれ、腕部Ｐ１２ａ、腕部Ｐ１３ａに比べて左右方向の幅が広くなるように構成されている。これにより、上折り曲げ部Ｐ４および下折り曲げ部Ｐ５から上係止部Ｐ１２および下係止部Ｐ１３が抜けにくくなる。よって、フィルム保持体Ｈに対する包装体Ｐの装着状態を安定化させることができる。
【００６４】
また、図１２（ｂ）に示すように、上係止部Ｐ１２の先端部Ｐ１２ｂが上折り曲げ部Ｐ４の切り欠き４１ａの両側に引っ掛かるため上係止部Ｐ１２が抜けにくくなる。同様に、下係止部Ｐ１３の先端部Ｐ１３ｂが下折り曲げ部Ｐ５の切り欠き５１ａの両側に引っ掛かるため下係止部Ｐ１３が抜けにくくなる。これにより、フィルム保持体Ｈに対する包装体Ｐの装着状態を安定化させることができる。
【００６５】
また、図１１（ａ）に示すように、包装体Ｐには、舌片Ｐ２３、Ｐ３３が設けられているため、図１３に示すように、フィルム保持体Ｈに包装体Ｐが取り付けられた状態において、フィルムＦの側面が舌片Ｐ２３、Ｐ３３によって押さえられる。よって、フィルムＦが邪魔になることなく、容易にフィルムパックＦＰを箱Ｂに収めることができる。この他、搬送時等におけるフィルムＦがばらつくことも防ぐことができる。
【００６６】
また、便座装置１の使用者は、フィルムパックＦＰを便座装置に簡便に装着することができる。以下、この効果を、フィルムパックＦＰの装着動作とともに説明する。
【００６７】
便座装置１の使用者は、フィルムパックＦＰが収容された箱Ｂ（図１４参照）を受け取ると、箱ＢからフィルムパックＦＰを取り出して便座装置１にセットする。
【００６８】
図１４に示すように、フィルムパックＦＰには開口Ｐ１１が形成されており、使用者は、開口Ｐ１１に手を挿し込んで、フィルムパックＦＰを容易に取り出すことができる。また、上係止部Ｐ１２、下係止部Ｐ１３（図１３参照）、Ｒ部Ｐ１４といった隙間があるため、これらの隙間に手を挿し込むことによっても、フィルムパックＦＰを容易に取り出すことができる。
【００６９】
図１５〜図１７は、フィルムパックＦＰの取り付け過程を示す図である。
【００７０】
使用者によって、フィルムパックＦＰが取り出されると、図１５に示すように、便座３５、カバー３６が取り外された状態で、メカ構成体１０のベース１１にフィルムパックＦＰが載置される。これにより、図１６に示すように、フィルムパックＦＰが便座装置１に装着される。
【００７１】
包装体Ｐは、座面枠３１の凹部の形状にそって、Ｒ部Ｐ１４、Ｐ１５、Ｐ２４、Ｐ３４（図９参照）が設けられているため、フィルムＦの前後方向を誤って装着することが抑制される。すなわち、載置部Ｐ１の形状は、Ｒ部Ｐ１４、Ｐ１５、Ｐ２４、Ｐ３４（図９参照）を設けることにより、便座装置１側の座面枠３１の凹部の形状に整合している。このように、載置部Ｐ１の形状を座面枠３１に合わせることにより、フィルムパックＦＰの装着時に、フィルムＦの前後方向を間違えることを防ぐだけでなく、便座装置１に対するセット位置の誤りや位置ずれを防ぐことができる。これにより、図１に示すようなフィルムＦの終端が近づいていることを示すマークＭが使用者から見えない位置に位置付けられることが抑制される。
【００７２】
こうして、フィルムパックＦＰが便座装置１に載置されると、使用者は、摘みＰ１２ｃ、摘みＰ１３ｃを掴んで、上係止部Ｐ１２、下係止部Ｐ１３を上折り曲げ部Ｐ４、下折り曲げ部Ｐ５から引き抜く。
【００７３】
図１１（ａ）に示すように、フィルム保持体Ｈは、鍔部Ｈ１ｃが、載置部Ｐ１と左折り曲げ部Ｐ２と右折り曲げ部Ｐ３によって挟まれることによって保持されているため、上係止部Ｐ１２、下係止部Ｐ１３が上折り曲げ部Ｐ４、下折り曲げ部Ｐ５から取り外されると、上折り曲げ部Ｐ４、下折り曲げ部Ｐ５の折り曲げ状態が解消されて、左折り曲げ部Ｐ２、右折り曲げ部Ｐ３が展開可能となる。
【００７４】
その後、使用者は、包装体Ｐの開口Ｐ１１に形成された切り起こし片Ｐ１１ａ、Ｐ１１ｂ（図９参照）を掴んで、包装体Ｐを上方向に引き抜くことによって、図１７に示すように、包装体Ｐがフィルム保持体Ｈから取り外される。
【００７５】
このように、使用者は、上係止部Ｐ１２および下係止部Ｐ１３を上折り曲げ部Ｐ４および下折り曲げ部Ｐ５から引き抜くだけで、包装体Ｐを容易に展開することができる。よって、使用者は、簡便な作業でフィルムＦを保持したフィルム保持体Ｈを便座装置１にセットすることができる。
【００７６】
また、上係止部Ｐ１２、下係止部Ｐ１３には、摘みＰ１２ｃ、１３ｃが形成されているため、使用者は、上係止部Ｐ１２、下係止部Ｐ１３の引っ掛かりを容易に解除することができる。
【００７７】
また、包装体Ｐには、開口Ｐ１１が形成されているため、使用者は、フィルムＦを視認することができ、便座装置１にフィルム保持体Ｈを載せる際に、フィルム保持体Ｈを位置決めし易くなる。よって、フィルムＦ装着時の作業性を高めることができる。
【００７８】
また、包装体Ｐは、段ボールによって形成されているため、強度を維持しながら安価に包装体Ｐを生成することができる。
【００７９】
包装体Ｐがフィルム保持体Ｈから取り外されると、図４に示すように、便座３５が再度設置されて、便座装置１が使用可能になる。
【００８０】
図１８は、便座３５が取り付けられた状態のフィルム保持体ＨとフィルムＦの要部を示す断面図である。なお、図１８は、便座装置１をＺ−Ｙ平面に平行な平面で切断した断面をＸ軸正側に向かって見た断面図である。
【００８１】
図１８に示すように、フィルム保持体Ｈの上枠Ｈ１は、便座３５との隙間が小さくなるように、傾斜部Ｈ１ｅ、Ｈ１ｆの傾斜角度と、壁部Ｈ１ｇの高さが調整されている。これにより、便座装置１の使用時の飛散物が便座装置１内に飛び散ることを抑制することができる。
【００８２】
＜変更例＞
上記実施の形態では、フィルム保持体Ｈは、上枠Ｈ１と下枠Ｈ２の２つの部材により構成されたが、１つの部材により構成されていても良い。また、フィルム保持体Ｈは、上下に鍔部Ｈ１ｃ、Ｈ２ｃが設けられたが、下側の鍔部Ｈ２ｃは省略されても良い。
【００８３】
また、上記実施の形態では、包装体Ｐがフィルム保持体Ｈに装着されると、たとえば図１１（ａ）、（ｂ）に示すように、包装体Ｐの舌片Ｐ２３、Ｐ３３がフィルムＦの側面を押さえてフィルムＦのばらつきが防がれた。これに代えて、たとえば、図１９に示すように、フィルム保持体Ｈの下枠Ｈ２の鍔部１ｃ外周を全周に亘って上方向に立ち上げて枠部Ｈ２ｆを形成し、この枠部２ｆによって、フィルムＦの側面を押さえる構成であっても良い。この場合、フィルムＦは枠部Ｈ２ｆの内側のスペースに収容される。この構成によっても、包装体Ｐの舌片Ｐ２３、Ｐ３３がフィルムＦの側面を押さえる場合と同様、フィルムＦのばらつきを防ぐことができる。
【００８４】
また、上記実施の形態では、上枠Ｈ１の鍔部Ｈ１ｄと下枠Ｈ２の鍔部Ｈ２ｄとを合わされた状態で、上枠Ｈ１の鍔部Ｈ１ｄと下枠Ｈ２の鍔部Ｈ２ｄを熱溶着することにより、上枠Ｈ１と下枠Ｈ２が一体化された。これに代えて、たとえば、上枠Ｈ１と下枠Ｈ２に互いに嵌り合う凹部と凸部を設け、これら凹部と凸部の嵌め合いによって、上枠Ｈ１と下枠Ｈ２が一体化されても良い。
【００８５】
また、上記実施の形態では、図１１に示すように、左折り曲げ部Ｐ２、右折り曲げ部Ｐ３が折り曲げられた状態で、境界Ｐ２１、Ｐ３１が鍔部Ｈ２ｃよりもやや大きくなるように舌片Ｐ２３、Ｐ３３が設けられたが、舌片Ｐ２３、Ｐ３３は、鍔部Ｈ２ｃを保持可能であれば、どのような形状であっても良い。また、上記実施の形態では、舌片Ｐ２３、Ｐ３３が５個ずつ設けられたが、舌片Ｐ２３、Ｐ３３の数はこれに限られず、他の数であっても良い。
【００８６】
また、上記実施の形態では、フィルム保持体Ｈは略楕円形状を有したが、方形状等、他の形状であっても良い。この場合、左折り曲げ部Ｐ２、右折り曲げ部Ｐ３に形成される境界Ｐ２１、Ｐ３１の形状も適宜変更される。
【００８７】
また、上記実施の形態では、図１２に示すように切り欠きＰ４１ａ、Ｐ５１ａに、上係止部Ｐ１２の腕部Ｐ１２ａ、下係止部Ｐ１３の腕部Ｐ１３ａが嵌り込む形状とされたが、上折り曲げ部Ｐ４と下折り曲げ部Ｐ５の折り曲げ状態を維持することが可能な係止部であれば、どのような構成であっても良い。
【００８８】
また、上記実施の形態では、図１６に示すようにフィルムパックＦＰをセットした後、包装体Ｐの開口Ｐ１１に形成された切り起こし片Ｐ１１ａ、Ｐ１１ｂ（図９参照）を掴んで、包装体Ｐを上方向に引き抜くことによって、図１７に示すように、包装体Ｐがフィルム保持体Ｈから取り外された。包装体Ｐの取り外し作業を円滑に行えるのであれば、他の方法によって、包装体Ｐがフィルム保持体Ｈから取り外されても良い。たとえば、上係止部Ｐ１２の腕部Ｐ１２ａと下係止部Ｐ１３の腕部のＰ１３ａをそれぞれ切り欠きＰ４１ａ、Ｐ５１ａから引き抜いた後、そのまま上係止部Ｐ１２と下係止部Ｐ１３を持ち上げて、包装体Ｐをフィルム保持体Ｈから取り外すようにしても良い。この取り外し方法の場合は、切り起こし片Ｐ１１ａ、Ｐ１１ｂが不要となるため、包装体Ｐから切り起こし片Ｐ１１ａ、Ｐ１１ｂが省略される。
【００８９】
また、上記実施の形態では、包装体Ｐは、段ボールにより形成されたが、その他の素材により形成されても良い。
【００９０】
以上、本発明の実施の形態について説明したが、本発明は、上記実施の形態に何ら制限されるものではなく、本発明の構成例も他に種々の変更が可能である。
【００９１】
なお、上記実施の形態では、便座装置１に本発明のフィルムパックＦＰが適用される形態が示されたが、便座装置のほか、たとえば、小動物等の死骸や生ごみ等の廃棄物をフィルムで密封するための装置に本発明が適用されても良い。
【００９２】
この他、本発明の実施の形態は、特許請求の範囲に示された技術的思想の範囲内において、適宜、種々の変更が可能である。
【符号の説明】
【００９３】
Ｆ  …  フィルム
Ｈ  …  フィルム保持体
Ｈ１ｃ  …  鍔部
Ｐ  …  包装体
Ｐ１  …  載置部
Ｐ２  …  左折り曲げ部
Ｐ２３  …  舌片
Ｐ３  …  右折り曲げ部
Ｐ３３  …  舌片
Ｐ４  …  上折り曲げ部
Ｐ４１ａ  …  切り欠き
Ｐ５  …  下折り曲げ部
Ｐ５１ａ  …  切り欠き
【図１】
2016185237.tif 000003
【図２】
2016185237.tif 000004
【図３】
2016185237.tif 000005
【図４】
2016185237.tif 000006
【図５】
2016185237.tif 000007
【図６】
2016185237.tif 000008
【図７】
2016185237.tif 000009
【図８】
2016185237.tif 000010
【図９】
2016185237.tif 000011
【図１０】
2016185237.tif 000012
【図１１】
2016185237.tif 000013
【図１２】
2016185237.tif 000014
【図１３】
2016185237.tif 000015
【図１４】
2016185237.tif 000016
【図１５】
2016185237.tif 000017
【図１６】
2016185237.tif 000018
【図１７】
2016185237.tif 000019
【図１８】
2016185237.tif 000020
【図１９】
2016185237.tif 000021